【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
筐体であって、
第１表面、
前記第１表面と離間した第２表面、および、
前記第１表面と前記第２表面との間に延伸する第１側壁、
を含む、筐体と、
前記第１表面において第１規格に従って動作する第１接続ポートと、
前記第１側壁において第２規格に従って動作する第２接続ポートと、
を含む複数規格接続ハブであって、
前記第１表面は、第１領域および第２領域を含み、
前記第２領域は、前記第１領域内の凹部であり、
前記第２領域は、床面、および、前記床面から延伸しかつ上昇して前記第１領域に接する第２側壁を含み、
前記第１接続ポートは、前記凹部内にありかつ前記床面に位置し、
前記第２側壁は、前記床面および前記第１領域に対してほぼ垂直であり、
前記第２接続ポートは、前記第２規格に従って動作する複数の接続ポートの１つであり、
前記複数規格接続ハブは、前記第１側壁にパワー・ポートをさらに含み、
前記第１側壁は、
第１側面、
前記第１側面から離間し、かつ前記第１側面とほぼ平行する第２側面、
前記第１側面と前記第２側面との間で、前記第１側面と前記第２側面に対してほぼ垂直に延伸する第３側面、および、
前記第１側面と前記第２側面との間で、前記第１側面と前記第２側面に対してほぼ垂直に延伸し、さらに、前記第３側面から離間し、かつ前記第３側面とほぼ平行する第４側面、を含み、
前記パワー・ポート、および前記複数の接続ポートのそれぞれは、前記第１側面に位置する、
ことを特徴とする複数規格接続ハブ。
【請求項２】
前記第２側面に状態インディケータをさらに含み、
前記第２側面の少なくとも一部分は半透明材料を含み、
前記状態インディケータは、前記第２側面の前記一部分を通して見ることができ、
前記状態インディケータは、前記パワー・ポート、前記第１接続ポート、および前記第２接続ポートのうちの少なくとも１つの状態を表示する、
ことを特徴とする請求項１記載の複数規格接続ハブ。
【請求項３】
筐体であって、
第１領域および前記第１領域内の凹部である第２領域を含む第１表面、
前記第１表面と離間した第２表面、
前記第１表面と前記第２表面との間で、前記第１表面および前記第２表面に対してほぼ垂直に延伸する第１側壁、
を含む、筐体と、
第１規格に従って動作する前記凹部内の第１接続ポートと、
第２規格に従って動作する前記第１側壁の第２接続ポートと、
前記凹部において前記筐体に着脱可能に結合されるアダプタと、
から構成される複数規格接続ハブであって、
前記第２領域は、床面、および前記床面から延伸し、上昇して前記第１領域に接する第２側壁を含み、
前記第１接続ポートは、前記アダプタが前記凹部で前記筐体に結合されたときにアクセス可能であり、
前記アダプタは、
その中に開口を有するベース、および、
厚さを有する第３側壁を含み、
前記凹部は、第１容積を画定し、
前記第３側壁および前記ベースは、第２容積を画定し、
前記開口は、前記アダプタが前記凹部内にあるとき、前記第１接続ポートへのアクセスを提供し、
前記第２容積は、前記第１容積より小さい、
ことを特徴とする複数規格接続ハブ。
【請求項４】
前記筐体および前記アダプタのうちの少なくとも１つは、前記凹部内に前記アダプタを保持することができる保持機構をさらに含むことを特徴とする請求項３記載の複数規格接続ハブ。
【請求項５】
前記第２接続ポートは、前記第２規格に従って動作する複数の接続ポートの１つであり、
前記複数の接続ポートのそれぞれは前記第１側壁に位置し、
前記筐体は、前記第１側壁にパワー・ポートをさらに含む、
ことを特徴とする請求項３または請求項４記載の複数規格接続ハブ。
【請求項６】
前記第１側壁は、
第１側面、
前記第１側面から離間し、かつ前記第１側面とほぼ平行する第２側面、
前記第１側面と前記第２側面との間で、前記第１側面および前記第２側面に対してほぼ垂直に延伸する第３側面、および、
前記第１側面と前記第２側面との間で、前記第１側面および前記第２側面に対してほぼ垂直に延伸し、さらに、前記第３側面から離間し、かつ前記第３側面とほぼ平行する第４側面、を含み、
前記パワー・ポート、および前記複数の接続ポートのそれぞれは、前記第１側面に位置する、
ことを特徴とする請求項３乃至請求項５のいずれかに記載の複数規格接続ハブ。
【請求項７】
前記第１接続ポートは、複数ピンのドック・コネクタであり、
前記第２接続ポートは、ユニバーサル・シリアル・バス・ポートである、
ことを特徴とする請求項１乃至請求項６のいずれかに記載の複数規格接続ハブ。
【請求項８】
前記複数規格接続ハブは、
前記複数規格接続ハブ、
前記アダプタ、および、
第１の厚さよりも大きい第２の厚さを備えた第２側壁を有する、少なくとも１つの追加のアダプタ、
を含むシステムの一部であることを特徴とする請求項１乃至請求項７のいずれかに記載の複数規格接続ハブ。
【請求項９】
前記第２接続ポートは、前記第２規格に従って動作する複数の接続ポートの１つであり、
前記複数の接続ポートの１つは、下流のユニバーサル・シリアル・バス・ポートであり、
前記複数の接続ポートの他の１つは、上流のシリアル・バス・ポートであることを特徴とする請求項１乃至請求項８のいずれかに記載の複数規格接続ハブ。
【請求項１０】
複数の異なるサイズの電子装置のいずれか１つをコンピュータに接続するためのハブであって、前記電子装置のそれぞれは、第１規格を使用して通信し、前記ハブは、
凹部を含む筐体と、
前記凹部内に位置し、前記第１規格に従って動作し、かつ前記電子装置のいずれか１つに接続されるために形成された第１接続ポートと、
第２基準に従って動作し、かつ前記コンピュータに接続されるために形成された第２ポートと、
前記凹部内に着脱可能に挿入されるために形成された第１アダプタであって、前記第１アダプタが前記凹部内に位置するときに、それを通って前記第１接続ポートにアクセスを提供するためにサイズおよび形状が形成された開口をその中に有し、前記第１アダプタは第１の厚さを有する、第１アダプタと、
前記凹部内に着脱可能に挿入されるように形成された第２アダプタであって、前記第２アダプタが前記凹部内に位置するときに、それを通って前記第１接続ポートにアクセスを提供するためにサイズおよび形状が形成された開口をその中に有し、前記第２アダプタは前記第１の厚さよりも大きい第２の厚さを有する、第２アダプタと、
から構成され、
第１電子装置が前記第１接続ポートに電気的に接続されるときは、前記第１アダプタを収容する前記ハブが第１のサイズの前記第１電子装置を受け入れるために、前記第１の厚さが選択され、前記第１アダプタが調製され、また、第２電子装置が前記第１接続ポートに電気的に接続されるときは、前記第２アダプタを収容する前記ハブが第２のサイズの前記第２電子装置を受け入れるために、前記第２の厚さが選択され、前記第２アダプタが調製され、前記第２のサイズは前記第１のサイズよりも小さい、
ことを特徴とするハブ。
【請求項１１】
前記凹部内で前記第１アダプタを着脱可能に保持するために形成され、かつ、前記凹部内で前記第２アダプタを着脱可能に保持するために形成された、少なくとも１つの保持機構をさらに含むことを特徴とする請求項１０記載のハブ。
【請求項１２】
前記第１アダプタおよび前記第２アダプタのそれぞれは、前記凹部に嵌合するために形成されることを特徴とする請求項１０または請求項１１記載のハブ。
【請求項１３】
前記ハブは、底部表面および前記底部表面から離間した上部表面を含み、前記凹部は上部表面内にあり、さらに、前記第１アダプタおよび前記ハブは、前記第１電子装置が前記第１接続ポートに結合されるとき、ある角度で前記第１電子装置を受け入れかつ支持するように調製されることを特徴とする請求項１０乃至請求項１２のいずれかに記載のハブ。
【請求項１４】
第３接続ポートおよび第４接続ポートをさらに含み、両者は前記第２規格に従って動作し、前記第２接続ポート、前記第３接続ポート、および前記第４接続ポートは、ユニバーサル・シリアル・バス・ポートであり、前記第２接続ポートは下流のユニバーサル・シリアル・バス・ポートであり、前記第３および第４接続ポートは上流のユニバーサル・シリアル・バス・ポートであることを特徴とする請求項１０乃至請求項１３のいずれかに記載のハブ。
【請求項１５】
前記ハブは、底部表面、底部表面から離間した上部表面、および前記底部表面から前記上部表面まで延伸する側壁を含み、前記凹部は前記上部表面内にあり、前記第２接続ポート、前記第３接続ポート、および前記第４接続ポートは、前記側壁内に位置することを特徴とする請求項１０乃至請求項１４のいずれかに記載のハブ。
【請求項１６】
状態インディケータをさらに含み、前記ハブの少なくとも一部は半透明材料を含み、前記状態インディケータは前記半透明材料を通して見えることを特徴とする請求項１０乃至請求項１５のいずれかに記載のハブ。
【請求項１７】
コンピュータをＭＰ３プレーヤに接続するＵＳＢハブであって、前記ＵＳＢハブは、
ＭＰ３プレーヤを受け入れるために形成された凹部を有する筐体と、
前記コンピュータに接続するために形成された上流のユニバーサル・シリアル・バス・ポートと、
それぞれが周辺装置からのケーブルまたは他の接続を受け入れるために形成された、複数の下流のユニバーサル・シリアル・バス・ポートと、
前記凹部内に位置し、前記ＭＰ３プレーヤが前記凹部内にあるとき、前記ＭＰ３プレーヤに接続するために形成されたＭＰ３接続ポートであって、前記ＭＰ３接続ポートは前記ＭＰ３プレーヤ用の複数ピンのドック・コネクタである、ＭＰ３接続ポートと、
から構成され、
前記凹部は、前記ＭＰ３プレーヤの一部を収容するために形成され、かつ、前記ＭＰ３プレーヤが前記ＭＰ３接続ポートに接続されている間は前記ＭＰ３プレーヤを適所に保持するために形成される、
ことを特徴とするＵＳＢハブ。
【請求項１８】
前記凹部内に着脱可能に挿入するために形成され、かつ、前記第１アダプタが前記凹部内に位置するとき、それを通って前記ＭＰ３接続ポートへのアクセスを提供できるような大きさおよび形状の開口をその中に有する第１アダプタをさらに含むことを特徴とする請求項１７記載のＵＳＢハブ。
【請求項１９】
前記凹部内に着脱可能に挿入するために形成された第１アダプタをさらに含み、前記第１アダプタは第１の厚さを有し、前記ＵＳＢハブは、前記凹部内に着脱可能に挿入するために形成された第２アダプタをさらに含み、前記第２アダプタは前記第１の厚さよりも大きい第２の厚さを有し、第１ＭＰ３プレーヤが前記ＭＰ３接続ポートに接続されたときは、前記第１アダプタを収容する前記ＵＳＢハブが第１のサイズの前記第１ＭＰ３プレーヤを受け入れるために、前記第１の厚さが選択され、前記第１アダプタが調製され、また、第２ＭＰ３プレーヤが前記ＭＰ３接続ポートに接続されたときは、前記第２アダプタを収容する前記ＵＳＢハブが第２のサイズの前記第２ＭＰ３プレーヤを受け入れるために、前記第２の厚さが選択され、前記第２アダプタが調製されることを特徴とする請求項１７または請求項１８記載のＵＳＢハブ。
【請求項２０】
前記ＵＳＢハブは、底部表面、前記底部表面から離間した上部表面、および前記底部表面から前記上部表面まで延伸する側壁を含み、
前記凹部は前記上部表面にあり、
前記上流のユニバーサル・シリアル・バス・ポートは、前記コンピュータに接続するために形成され、
前記複数の下流のユニバーサル・シリアル・バス・ポートは、全て前記筐体内に位置し、
前記上流のユニバーサル・シリアル・バス・ポートおよび前記複数の下流のユニバーサル・シリアル・バス・ポートは、全て前記側壁に位置する、
ことを特徴とする請求項１７乃至請求項１９のいずれかに記載のＵＳＢハブ。
【請求項２１】
前記筐体内に位置するパワー・ポートをさらに含むことを特徴とする請求項１７乃至請求項２０のいずれかに記載のＵＳＢハブ。
【請求項２２】
状態インディケータをさらに含み、前記筐体の少なくとも一部分は半透明材料を含み、前記状態インディケータは、前記半透明材料を通して見ることができることを特徴とする請求項１７乃至請求項２１のいずれかに記載のＵＳＢハブ。